(57)【要約】      （修正有） 【課題】回転ドラムの一端と開閉扉との間の隙間からショットが飛び出すのを防止できるようにする。【解決手段】斜め上向きにして傾動可能に配設された箱状のキャビネット1と、キャビネット内に一端開口部をキャビネットの開口部と対向させて垂直面内で回転可能に設けられ有底円筒状を成すとともに胴部にショットが通過可能な孔を有する製品収納用の回転ドラム5と、キャビネットおよび回転ドラムの各開口部を開閉可能でありこれらの開口部の閉鎖時に回転ドラム内に向けてショットを投射するショット投射装置21を装着した開閉扉8と、キャビネットおよび回転ドラムの各開口部と開閉扉との間の隙間を閉鎖可能なラビリンス機構22と、開閉扉とラビリンス機構との間の隙間を閉鎖可能でかつ弾性を有する環状のシール部材23とを備える。【選択図】     図１
2006289518.tif 000002
【特許請求の範囲】
【請求項１】
製品をバッチ的にショットブラストする装置であって、
斜め上向きにして傾動可能に配設された箱状のキャビネットと、
このキャビネット内に一端開口部をキャビネットの開口部と対向させて垂直面内で回転可能に設けられ有底円筒状を成すとともに胴部にショットが通過可能な孔を多数有する製品収納用の回転ドラムと、
前記キャビネットおよび前記回転ドラムの各開口部を開閉可能でありかつこれらの開口部の閉鎖時に前記回転ドラム内に向けてショットを投射可能なショット投射装置を装着した開閉扉と、
前記キャビネットの開口部と前記開閉扉とに設けられこの開閉扉が前記キャビネットおよび前記回転ドラムの各開口部を閉じた時、前記キャビネットおよび前記回転ドラムの各開口部と前記開閉扉との間の隙間を閉鎖可能なラビリンス機構と、
前記開閉扉の内面に装着されこの開閉扉が前記キャビネットおよび前記回転ドラムの各開口部を閉じた時、前記開閉扉と前記ラビリンス機構との間の隙間を閉鎖可能でかつ弾性を有する環状のシール部材と、
を具備したことを特徴とする回転ドラム型ショットブラスト装置。
【請求項２】
請求項1に記載の回転ドラム型ショットブラスト装置において、
前記ラビリンス機構は、前記キャビネットの開口部の内面に装着され円筒状を成し、かつ前記開閉扉が前記キャビネットおよび前記回転ドラムの各開口部を閉じた時に前記シール部材を所要寸法圧縮可能な長さを有する第１遮蔽部材と、この第１遮蔽部材の内面に固着され前記回転ドラム付近まで内側へ張り出すフランジ状を成す環状の第２遮蔽部材と、前記開閉扉の内面に装着され外形寸法が前記第２遮蔽部材の内径より長くかつ第２遮蔽部材の近くまで延びる筒部を有するキャップ状の第３遮蔽部材とで構成したことを特徴とする回転ドラム型ショットブラスト装置。
【請求項３】
請求項1または２に記載の回転ドラム型ショットブラスト装置において、
前記ラビリンス機構は、前記開閉扉が前記キャビネットおよび前記回転ドラムの各開口部を閉じた時、前記第１遮蔽部材が前記シール部材を５〜８０％まで圧縮可能であり、また前記第２遮蔽部材と第３遮蔽部材の筒部との間の隙間寸法を、投射されるショットの最大径の３〜５倍までにしたことを特徴とする回転ドラム型ショットブラスト装置。
【請求項４】
請求項1〜３のうちいずれか１項に記載の回転ドラム型ショットブラスト装置において、
前記第2遮蔽部材の下端に、第２遮蔽部材と前記第３遮蔽部材の筒部との間を通過したショットが通過可能な小径の孔を透設したことを特徴とする回転ドラム型ショットブラスト装置。
【発明の詳細な説明】
【技術分野】
【０００１】
本発明は、回転ドラム型ショットブラスト装置の改良に関する。
【背景技術】
【０００２】
従来、この種の装置の一つとして、傾動可能に設けられた傾動フレームと、この傾動フレーム内に回転可能に設けられ有底円筒状を成す製品収納用の回転ドラムと、この回転ドラムの一端開口部を開閉可能でありかつ回転ドラム内に向けてショットを投射するショット投射装置を装着した開閉扉と、で構成されたものがある。
【特許文献１】実公平３−２５９００号公報
【発明の開示】
【発明が解決しようとする課題】
【０００３】
しかし、このように構成された従来の回転ドラム型ショットブラスト装置では、回転ドラムを開閉扉に対して回転可能にすべく回転ドラムの一端と開閉扉との間に若干の隙間を設けており、そのため、投射されたショットがその隙間から外に飛び出すなどの問題があった。      
【０００４】
本発明は、上記の事情に鑑みてなされたもので、その目的は、回転ドラムの一端と開閉扉との間の隙間からショットが飛び出すのを防止できるようにした回転ドラム型ショットブラスト装置を提供することにある。      
【課題を解決するための手段】
【０００５】
上記の目的を達成するため、本発明における回転ドラム型ショットブラスト装置は、製品をバッチ的にショットブラストする装置であって、斜め上向きにして傾動可能に配設された箱状のキャビネットと、このキャビネット内に一端開口部をキャビネットの開口部と対向させて垂直面内で回転可能に設けられ有底円筒状を成すとともに胴部にショットが通過可能な孔を多数有する製品収納用の回転ドラムと、前記キャビネットおよび前記回転ドラムの各開口部を開閉可能でありかつこれらの開口部の閉鎖時に前記回転ドラム内に向けてショットを投射可能なショット投射装置を装着した開閉扉と、前記キャビネットの開口部と前記開閉扉とに設けられこの開閉扉が前記キャビネットおよび前記回転ドラムの各開口部を閉じた時、前記キャビネットおよび前記回転ドラムの各開口部と前記開閉扉との間の隙間を閉鎖可能なラビリンス機構と、前記開閉扉の内面に装着されこの開閉扉が前記キャビネットおよび前記回転ドラムの各開口部を閉じた時、前記開閉扉と前記ラビリンス機構との間の隙間を閉鎖可能でかつ弾性を有する環状のシール部材と、を具備したことを特徴とする。
【０００６】
このように構成されたものは、回転ドラムの一端開口部から飛び出したショットが外部に飛散するのを、ラビリンス機構およびシール部材によって阻止されることとなる。
【発明の効果】
【０００７】
以上の説明からも明らかなように本発明は、製品をバッチ的にショットブラストする装置であって、斜め上向きにして傾動可能に配設された箱状のキャビネットと、このキャビネット内に一端開口部をキャビネットの開口部と対向させて垂直面内で回転可能に設けられ有底円筒状を成すとともに胴部にショットが通過可能な孔を多数有する製品収納用の回転ドラムと、前記キャビネットおよび前記回転ドラムの各開口部を開閉可能でありかつこれらの開口部の閉鎖時に前記回転ドラム内に向けてショットを投射可能なショット投射装置を装着した開閉扉と、前記キャビネットの開口部と前記開閉扉とに設けられこの開閉扉が前記キャビネットおよび前記回転ドラムの各開口部を閉じた時、前記キャビネットおよび前記回転ドラムの各開口部と前記開閉扉との間の隙間を閉鎖可能なラビリンス機構と、前記開閉扉の内面に装着されこの開閉扉が前記キャビネットおよび前記回転ドラムの各開口部を閉じた時、前記開閉扉と前記ラビリンス機構との間の隙間を閉鎖可能でかつ弾性を有する環状のシール部材と、を具備したから、回転ドラムの一端開口部から飛び出したショットが外部に飛散するのを適確に防止することができるなどの優れた実用的効果を奏する。   
【発明の最良の形態】
【０００８】
以下、発明を適用した回転ドラム型ショットブラスト装置の最良の形態について図１〜図３に基づき詳細に説明する。本回転ドラム型ショットブラスト装置は、図１に示すように、斜め上向きにして傾動可能に配設された箱状のキャビネット1と、このキャビネット1内に一端開口部をキャビネット1の開口部と対向させて垂直面内で回転可能に設けられ有底円筒状を成すとともに胴部にショットが通過可能な孔を多数有する製品収納用の回転ドラム5と、前記キャビネット1および前記回転ドラム5の各開口部を開閉可能でありかつこれらの開口部の閉鎖時に前記回転ドラム5内に向けてショットを投射可能なショット投射装置21を装着した開閉扉8と、前記キャビネット1の開口部と前記開閉扉8とに設けられこの開閉扉8が前記キャビネット1および前記回転ドラム5の各開口部を閉じた時、前記キャビネット1および前記回転ドラム5の各開口部と前記開閉扉8との間の隙間を閉鎖可能なラビリンス機構22と、前記開閉扉8の内面に装着されこの開閉扉8が前記キャビネット1および前記回転ドラム5の各開口部を閉じた時、前記開閉扉8と前記ラビリンス機構22との間の隙間を閉鎖可能でかつ弾性を有する環状のシール部材23と、で構成してある。
【０００９】
そして、前記キャビネット1は機台4に１対の支持軸２・２および軸受３・３を介して傾動自在に設置してある。また、前記回転ドラム５は、前記キャビネット1内に装着された２組の受けローラユニット６・６と、前記キャビネット1に装着された支持軸ユニット７とにより回転可能に保持して装着してある。
【００１０】
また、前記開閉扉８の上部および下部には、２対の第１・第２アーム１０・１０および１８・１８の一端が、２対の継手ピン９・９および１７・１７をそれぞれ介してそれぞれ上下回動自在に装着してあり、これら２対の第１・第２アーム１０・１０・１８・１８のうち１対の第１アーム１０・１０の他端は、前記キャビネット1の上部に１対の軸受１２・１２を介して装着された１対の支持軸１１・１１に固着してあり、また、１対の第２アーム１８・１８の他端は前記１対の支持軸２・２にそれぞれ固着してある。また、前記支持軸１１の一側部には前記キャビネット1の上部に装着された減速機付モータ１４の出力軸が鎖車１３・１５およびローラチェーン１６を介して連結してある。
【００１１】
これにより、前記開閉扉８は、前記減速機付モータ１４の正逆駆動による前記支持軸１１の正逆回転により、二点鎖線で図示するように旋回移動して前記キャビネット1および前記回転ドラム5の各開口部を開閉するようになっている。
【００１２】
また、前記ラビリンス機構２２は、図２および図３に示すように、前記キャビネット1の開口部の内面に装着され円筒状を成すとともに前記開閉扉8が前記キャビネット1および前記回転ドラム5の各開口部を閉じた時に前記シール部材２３を所要寸法圧縮可能な長さを有する第１遮蔽部材24と、この第１遮蔽部材24の内面に固着され前記回転ドラム5付近まで内側へ張り出すフランジ状を成す環状の第２遮蔽部材２５と、前記開閉扉8の内面に装着され直径が前記第２遮蔽部材２５の内径より長くかつ第２遮蔽部材２５の近くまで延びる円筒部を有するキャップ状の第３遮蔽部材２６とで構成してある。そして、前記ラビリンス機構22は、前記開閉扉8が前記キャビネット1および前記回転ドラム5の各開口部を閉じた時に、前記第１遮蔽部材24が前記シール部材２３を５〜８０％まで圧縮可能であり、また前記第２遮蔽部材と第３遮蔽部材の円筒部との間の隙間寸法が、前記ショット投射装置21から投射されるショットの最大径の３〜５倍までになっている。
【００１３】
また、前記開閉扉8が前記キャビネット1および前記回転ドラム5の各開口部を閉じる時、前記キャビネット1の開口部付近の外面に設けられたストッパ２０に当接して、前記ラビリンス機構22の第３遮蔽部材２６は、回転ドラム５の一端部とで若干の隙間を形成し、前記回転ドラム５の回転を可能にしている。
【００１４】
また、図３に示すように、前記第2遮蔽部材２5の下端には第２遮蔽部材２5と前記第３遮蔽部材２6の円筒部との間を通過したショットが通過可能な小径の孔２７が透設してあって、前記第２遮蔽部材２5と前記第３遮蔽部材２6の円筒部との間を通過したショットは、前記孔２７を通って前記キャビネット1内に流入するようになっている。
【００１５】
このように構成したものは、回転ドラム５に製品を装入し、減速機付モータ１４の正駆動して開閉扉8によりキャビネット1および回転ドラム5の各開口部を閉じた後、回転ドラム５を回転させながらショット投射装置２１からショットを投射すると、回転ドラム５の一端開口部から飛び出したショットは、ラビリンス機構２２およびシール部材２３により外部への飛散を阻止されることとなる。
【図面の簡単な説明】
【００１６】
【図１】本発明の回転ドラム型ショットブラスト装置の最良の形態を示す側面図である。
【図２】図１における主要部の一断面図である。
【図３】図１における主要部の他の断面図である。
【符号の説明】
【００１７】
５    回転ドラム
８    開閉扉
２１    ショット投射装置
２２    ラビリンス機構
【図１】
2006289518.tif 000003
【図２】
2006289518.tif 000004
【図３】
2006289518.tif 000005